(57)【特許請求の範囲】
【請求項１】
肌当接側の透液性トップシートと、非肌当接側の不透液性バックシートと、これら両シート間に位置する体液吸収性コアとを有する使い捨ての体液処理用吸収性物品であって、
前記トップシートが、プラスチックフィルムからなる上層と、繊維集合体であってその上部で前記上層の裏面に接合する下層とで形成され、前記上層と前記下層の上部とに、前記物品の長手方向に向かって延び前記長手方向と直交する方向において交互に反復する山と谷とを有し、前記下層の下部の平坦な下面において前記コアの上面と密着しており、
前記上層が、厚み０．０１〜０．１ｍｍのものであって、孔径０．２〜６ｍｍの多数の開孔と、これら開孔の周縁において前記上層の表面から裏面方向へ向かって延びる長さ０．２〜４ｍｍ、先端孔径０．１〜５ｍｍの導液管とを備え、
前記下層が、密度０．０１〜０．１ｇ／ｃｍ３、坪量１０〜８０ｇ／ｍ２を有し、接着剤および溶着のいずれかによって前記上層の裏面に接合し、前記導液管が前記下層の中へ延びていることを特徴とする前記物品。
【請求項２】
前記上層が疎水性のフィルムであって、前記導液管が親水化処理されている請求項１記載の物品。
【請求項３】
前記下層が、熱可塑性合成繊維不織布である請求項１または２記載の物品。
【請求項４】
前記不織布が、親水化処理されている請求項３記載の物品。
【発明の詳細な説明】
【０００１】
【発明の属する技術分野】
この発明は、生理用ナプキンや使い捨ておむつ等に代表される使い捨ての体液処理用吸収性物品に関する。
【０００２】
【従来の技術】
特開平１０−２７２１５２号公報に開示の体液処理用吸収性物品では、透液性トップシートが、多数の導液開口部を有する熱融着性・疎水性上層シートと、その内面に位置する熱融着性・親水性下層シートとで構成されている。前記トップシートは、前記物品の横方向に沿う断面において円弧状に隆起しており、その隆起する部位では、上下層シートが互いに多数のデボスパターンによって融着している。前記上層シートの一例は合成樹脂フィルムであり、下層シートの一例は繊維不織布である。導液開口部の一例は、該開口部と一体に形成されて下層シート側へ延び、該下層シートに先端が接触する先細毛細管を備えている。かかる毛細管は、体液吸収速度の向上と、吸収された体液が物品の外へ逆流することの防止とに効果を発揮する。
【０００３】
【発明が解決しようとする課題】
前記公知の物品では、円弧状に隆起した上面が緊張状態に維持されており、着用者の股間に対するフィット性に優れる。上層シートから延びる導液管は、下層シートに支持されて容易に変形することがない。しかし、このようにフィット性のよい物品では、着用者の肌と物品との間の通気性が乏しくなりがちで、蒸れやかぶれを誘発し易いという難点がある。
【０００４】
この発明が課題とするのは、前記公知技術のように上下２層からなる透液性トップシートを使用した使い捨ての体液処理用吸収性物品において、トップシートと着用者の肌との間の通気性を向上させることにある。
【０００５】
【課題を解決するための手段】
前記課題解決のために、この発明が前提とするのは、肌当接側の透液性トップシートと、非肌当接側の不透液性バックシートと、これら両シート間に位置する体液吸収性コアとを有する使い捨ての体液処理用吸収性物品である。
【０００６】
かかる前提において、この発明が特徴とするところは、前記トップシートが、プラスチックフィルムからなる上層と、繊維集合体であってその上部で前記上層の裏面に接合する下層とで形成され、前記上層と前記下層の上部とに、前記物品の長手方向に向かって延び前記長手方向と直交する方向において交互に反復する山と谷とを有し、前記下層の下部の平坦な下面において前記コアの上面と密着しており、前記上層が、厚み０．０１〜０．１ｍｍのものであって、孔径０．２〜６ｍｍの多数の開孔と、これら開孔の周縁において前記上層の表面から裏面方向へ向かって延びる長さ０．２〜４ｍｍ、先端孔径０．１〜５ｍｍの導液管とを備え、前記下層が、密度０．０１〜０．１ｇ／ｃｍ３、坪量１０〜８０ｇ／ｍ２を有し、接着剤および溶着のいずれかによって前記上層の裏面に接合し、前記導液管が前記下層の中へ延びていること、にある。
【０００７】
この発明の実施態様の一つにおいて、前記上層が疎水性のフィルムであって、前記導液管が親水化処理されている。
【０００８】
この発明の実施態様の他の一つにおいて、前記下層が、熱可塑性合成繊維不織布である。
【０００９】
この発明の実施態様の他の一つにおいて、前記不織布が、親水化処理されている。
【００１０】
【００１１】
【発明の実施の形態】
この発明に係る使い捨ての体液処理用吸収性物品の一例として生理用ナプキンを例にとり、添付の図面を参照して、発明の詳細を説明すると以下のとおりである。
【００１２】
図１に部分破断斜視図で示された生理用ナプキン１は、着用者の肌に対する当接面を形成する透液性トップシート２と、非当接面を形成する不透液性バックシート３と、これら両シート２，３間に介在する体液吸収性コア４とを有する。トップシート２は、上層シート６と、その上部で上層シート６の裏面に接合する下層シート７とからなり、かかるトップシート２と、バックシート３とがコア４の周縁から延出する部分で重なり合い、線８において互いに接合している。
【００１３】
図２は、図１においてナプキン１の幅方向へ延びるＩＩ−ＩＩ線に沿った部分断面図である。トップシート２を形成している上層シート６は、厚み０．０１〜０．１ｍｍのプラスチックフィルムからなる。上層シート６と下層シート７の上部とでは、ナプキン１の長手方向へ延びる山１１と谷１２とが、ナプキン１の幅方向において交互に反復している（図１を併せて参照）。山１１の高さ（谷１２の深さ）Ｈは、０．３〜３ｍｍ、隣り合う山１１の頂部から頂部までのピッチは２〜７ｍｍの範囲にある。上層シート６には、多数の開孔１３と、開孔１３の周縁において上面から下面へ向かう方向へ延びる導液管１４とが形成されている。開孔１３は、０．２〜６ｍｍの孔径を有し、開孔面積の総和は、上層シート６の表面積の２０〜７０％を占めている。導液管１４は、０．２〜４ｍｍの長さと、０．１〜５ｍｍの先端孔径とを有している。導液管１４は、親水性であることが好ましく、もしそれが疎水性フィルムで形成される場合には、管の表面は親水化処理されていることが好ましい。
【００１４】
トップシート２を形成している下層シート７は、熱可塑性合成繊維やレーヨン繊維等の半合成繊維、パルプ繊維等の天然繊維が機械的に絡み合ったり、溶着したりすることによって形成された密度０．０１〜０．１ｇ／ｃｍ３，坪量１０〜８０ｇ／ｍ２を有する繊維集合体、より好ましくは繊度１〜８ｄ、坪量１０〜８０ｇ／ｍ２の熱可塑性合成繊維を６０重量％以上含む密度０．０１〜０．１ｇ／ｃｍ３の不織布である。かかる不織布の例には、スパンボンド不織布、ポイントボンド不織布、エアスルー不織布、スパンレース不織布等がある。下層シート７に使用される繊維は、親水性繊維または親水化処理された合成繊維であることが好ましい。下層シート７として嵩高なものや、クッション性の高いものが必要なときには、捲縮した複合繊維を含む不織布を使用することもできる。かかる下層シート７は、上層シート６の下面に接着または溶着によって接合しており、上層シート６から延びる導液管１４は、下層シート７の繊維間に進入している。下層シート７の繊維は、導液管１４を外側から囲み、導液管１４を潰れることがないように保護している。また、その繊維は、導液管１４の管壁外面や先端開口部に接着または溶着して導液管１４の変形を防ぐことができる。下層シート７の下部の下面は、上面と同様に山と谷とを有していてもよいが、好ましくは図示のように平坦であって、コア４の上面に密着している。下層シート７はまた、線８よりも内側においてホットメルト接着剤等の接着剤や溶着、厚み方向に施したエンボス加工等によってコア４の上面に間欠的に接合していることが好ましい。上層シート６と下層シート７とコア４とが接合していれば、体圧を受けても山１１や谷１２の位置は容易にずれ動くことがなく、体圧が解放されれば元の形状に復帰し易い。
【００１５】
トップシート２とバックシート３とを接合する線８は、トップシート２の上下層シート６，７とバックシート３とを一体的に溶着または接着するシール線であって、ナプキン内側の体液が周縁フラップ１８へ滲出するのを防止できることが好ましい。
【００１６】
この発明は、図示例のナプキン１の他に、パンティーライナーや使い捨ておむつ、失禁者用吸尿パッド等の体液処理用吸収性物品において実施することもできる。また、この発明に係るトップシート２は、吸収性物品の肌当接面の一部分、例えばナプキン１の中央部分においてのみ選択的に使用されていてもよい。
【００１７】
【発明の効果】
このように構成されたナプキン等の使い捨ての体液処理用吸収性物品は、これを着用したときに、トップシートが山の部分で肌に当接し、谷の部分で通気性チャンネルを形成することができるから、蒸れやかぶれを防止することができる。トップシートの上層シートは、山と谷とを有し、この上層シートが平坦なシートとして使用される場合に比べてシートの使用面積が大きくなる。上層シートの面積が大きくなれば、それだけ数多くの透液性開孔が物品の表面に存在するから、体液のコアへの吸収が促進され、この物品を着用したときの蒸れやかぶれを一層軽減することができる。
【００１８】
上層シートは繊維集合体である下層シートで裏打ちされているから、これら両シートからなるトップシートは、特に山の部分において、厚み方向の弾性復元力に優れ、ナプキンが高いクッション性を備えたものになる。
【図面の簡単な説明】
【図１】  ナプキンの部分破断斜視図。
【図２】  図１のＩＩ−ＩＩ線部分断面図。
【符号の説明】
１    吸収性物品（ナプキン）
２    トップシート
３    バックシート
４    コア
６    上層シート
７    下層シート
１１    山
１２    谷
１３    開孔
１４    導液管
【図１】
0003639450.tif 000002
【図２】
0003639450.tif 000003